(57)【要約】  本開示は、端末ディスプレイアセンブリおよび携帯端末を提供する。端末ディスプレイアセンブリは、ディスプレイ画面、第１の透光性カバープレート、第２の透光性カバープレート、および遮光部材を含む。ディスプレイ画面は、第１の貫通孔を画定する。第１の透光性カバープレートは、ディスプレイ画面上に提供され、ディスプレイ画面を覆い、第１の貫通孔と連通する第２の貫通孔を画定する。第２の貫通孔は、第１の貫通孔よりも大きなサイズを有し、ディスプレイ画面上に支持面を形成する。遮光部材は、第１の透光性カバープレートと第２の透光性カバープレートとの間に配置されている。あるいはまた、支持面上に遮光部材を設け、遮光部材上に第２の透光性カバープレートを設ける。本開示の実施形態は、端末ディスプレイアセンブリのディスプレイ領域を増加させることができる。
2021503211.tif 000002
【特許請求の範囲】
【請求項１】
ディスプレイ画面であって、前記ディスプレイ画面の厚さ方向に前記ディスプレイ画面を貫通する第１の貫通孔を画定するディスプレイ画面と、
前記ディスプレイ画面上に設けられ、前記ディスプレイ画面を覆う第１の透光性カバープレートであって、前記第１の透光性カバープレートをその厚み方向に貫通する第２の貫通孔を画定し、前記第２の貫通孔と前記第１の貫通孔とは互いに連通しており、前記第２の貫通孔は、前記第１の貫通孔よりも大きいサイズを有し、前記ディスプレイ画面上に支持面を形成し、前記支持面は、前記第２の貫通孔を通して露出される前記ディスプレイ画面の一部である第１の透光性カバープレートと、
第２の透光性カバープレートおよび遮光部材とを備え、
前記第２の透光性カバープレートは、前記第１の貫通孔を覆うように前記支持面上に設けられ、かつその周囲において前記第２の透光性カバープレートの周囲付近に前記遮光部材が設けられ、前記遮光部材は、前記第１の透光性カバープレートと前記第２の透光性カバープレートとの間に配置されるか、または、
前記遮光部材は、前記支持面上に提供され、前記遮光部材には前記第１の貫通孔を覆うように前記第２の透光性カバープレートが提供される、端末ディスプレイアセンブリ。
【請求項２】
前記ディスプレイ画面と前記第１の透光性カバープレートとは、光透過性接着剤層により接着され、前記遮光部材は、前記光透過性接着剤層に少なくとも部分的に接着される、請求項１に記載の端末ディスプレイアセンブリ。
【請求項３】
前記第１の透光性カバープレートの表面は、前記第２の透光性カバープレートの表面と面一である、請求項１または２に記載の端末ディスプレイアセンブリ。
【請求項４】
前記遮光部材は、前記第１の透光性カバープレートと前記第２の透光性カバープレートとの間に位置し、前記遮光部材の高さは、前記第２の透光性カバープレートの厚さに等しい、請求項１〜３のいずれか一項に記載の端末ディスプレイアセンブリ。
【請求項５】
前記遮光部材は、金属材料または遮光インクから作られる、請求項１〜４のいずれか一項に記載の端末ディスプレイアセンブリ。
【請求項６】
前記遮光部材は、アルミニウム合金またはステンレス鋼材料から作られる、請求項１〜４のいずれか一項に記載の端末ディスプレイアセンブリ。
【請求項７】
前記第１の貫通孔および前記第２の貫通孔のそれぞれは、円形の貫通孔である、請求項１〜６のいずれか一項に記載の端末ディスプレイアセンブリ。
【請求項８】
前記第２の透光性カバープレートは、前記遮光部材上に前記第１の貫通孔を覆うように設けられ、前記第２の透光性カバープレートは、その内面から延在する突起を有し、前記突起は前記遮光部材に接続されている、請求項１に記載の端末ディスプレイアセンブリ。
【請求項９】
前記遮光部材の表面は、前記突起の表面と面一である、請求項８に記載の端末ディスプレイアセンブリ。
【請求項１０】
ハウジングと、前記ハウジング内に設けられた端末ディスプレイアセンブリとを備え、前記端末ディスプレイアセンブリは、請求項１〜９のいずれか一項に記載の端末ディスプレイアセンブリである携帯端末。
【請求項１１】
前記携帯端末は、前記第１の貫通孔の位置に設けられた光学装置を備える、請求項１０に記載の携帯端末。
【請求項１２】
前記光学装置はカメラモジュールを備え、前記カメラモジュールは、前記第１の貫通孔内に設けられたレンズを備える、請求項１１に記載の携帯端末。
【請求項１３】
前記端末ディスプレイアセンブリは、前記携帯端末の二次端末ディスプレイアセンブリであり、前記携帯端末は、前記ハウジング上に設けられ、前記二次端末ディスプレイアセンブリよりも大きなディスプレイ領域を有する一次端末ディスプレイアセンブリを備え、前記一次端末ディスプレイアセンブリおよび前記二次端末ディスプレイアセンブリはそれぞれ、前記ハウジングの互いに対して反対側の面に設けられる、請求項１０〜１２のいずれか一項に記載の携帯端末。
【請求項１４】
前記端末ディスプレイアセンブリは、前記携帯端末の一次端末ディスプレイアセンブリであり、前記携帯端末は、前記ハウジング上に設けられた前記二次端末ディスプレイアセンブリを備え、前記一次端末ディスプレイアセンブリは、前記二次端末ディスプレイアセンブリよりも大きなディスプレイ領域を有し、前記一次端末ディスプレイアセンブリおよび前記二次端末ディスプレイアセンブリはそれぞれ、前記ハウジングの互いに対して反対側の面に設けられる、請求項１０〜１２のいずれか一項に記載の携帯端末。
【発明の詳細な説明】
【技術分野】
【０００１】
本開示は、端末の技術分野に関し、特に、端末ディスプレイアセンブリおよび携帯端末に関する。
【背景技術】
【０００２】
通信技術の発達に伴い、スマートフォンなどの携帯端末の普及が進み、写真、チャット、ゲームなど幅広い範囲の用途に利用されている。携帯端末は、ますます多くの機能とますます多くの内部に取り付けられたデバイス、特に画面が取り付けられている携帯端末の面にますます多くのデバイスを有する。携帯端末のサイズが変わらない状況下では、ディスプレイ画面のディスプレイ領域が犠牲になり、減少する傾向がある。
【発明の概要】
【課題を解決するための手段】
【０００３】
本開示により解決される技術的課題は、ディスプレイ画面のディスプレイ領域を増大させることができる端末ディスプレイアセンブリおよび携帯端末を提供することである。
【０００４】
本開示の一実施形態によれば、端末ディスプレイアセンブリは、ディスプレイ画面、第１の透光性カバープレート、第２の透光性カバープレート、および遮光部材を含む。ディスプレイ画面は、ディスプレイ画面の厚さ方向にディスプレイ画面を貫通する第１の貫通孔を画定する。第１の透光性カバープレートは、ディスプレイ画面上に設けられ、ディスプレイ画面を覆い、第１の透光性カバープレートをその厚み方向に貫通する第２の貫通孔を画定する。第２の貫通孔と第１の貫通孔とは互いに連通している。第２の貫通孔は、第１の貫通孔よりも大きなサイズを有し、ディスプレイ画面上に支持面を形成する。支持面は、第２の貫通孔を通して露出されたディスプレイ画面の一部である。第２の透光性カバープレートは、第１の貫通孔を覆うように支持面上に設けられ、その周囲において、第２の透光性カバープレートの周囲付近に遮光部材が設けられ、遮光部材は、第１の透光性カバープレートと第２の透光性カバープレートとの間に配置される。あるいはまた、支持面上に遮光部材を設け、遮光部材に第１の貫通孔を覆う第２の透光性カバープレートを設ける。
【０００５】
本開示の一実施形態によれば、携帯端末は、ハウジングと、ハウジング内に設けられた端末ディスプレイアセンブリとを含む。端末ディスプレイアセンブリは、上記のような端末ディスプレイアセンブリである。
【０００６】
本開示の実施形態によって提供される携帯端末および端末ディスプレイアセンブリでは、第１の貫通孔は、ディスプレイ画面を貫通し、信号を送信することができ、第１の貫通孔の位置に対応してカメラやセンサ等の光学装置を取り付け、第１の貫通孔の位置を介して外部に信号を送信することができ、携帯端末の空間をさらに占有する必要なく、携帯端末のサイズは不変のままで、端末ディスプレイアセンブリのディスプレイ領域が増加するようにする。さらに、端末ディスプレイアセンブリが照明するとき、光線の屈折および反射手順中に第２の透光性カバープレートの方向に向けられた光線は、遮光部材によって遮断される。すると、端末ディスプレイアセンブリの光線は、第２の透光性カバープレートに入らず、したがって、光学装置による、第１の貫通孔を介して信号を外部に送信する効果に影響を及ぼさない。
【０００７】
本開示の実施形態における技術的解決策をより明確に示すために、実施形態の説明で使用する必要がある図面を以下に簡単に紹介する。明らかに、以下の説明における図面は、本開示のいくつかの実施形態に過ぎない。当業者は、これらの図面に従って創造的な作業なしに、他の図面をさらに得ることができる。
【図面の簡単な説明】
【０００８】
【図１】本開示の一実施形態に係る携帯端末の構造図であり、携帯端末の正面図および背面図を示す。
【図２】本開示の一実施形態に係る携帯端末の別の構造図である。
【図３】図２の携帯端末のＡ−Ａ方向における断面図である。
【図４】本開示の一実施形態に係る携帯端末の別の構造図である。
【図５】図４の携帯端末のＢ−Ｂ方向の断面図である。
【図６】本開示の一実施形態に係る端末ディスプレイアセンブリの構造図である。
【図７】図６の端末ディスプレイアセンブリのＣ−Ｃ方向における断面図である。
【図８】図６の端末ディスプレイアセンブリのＣ−Ｃ方向における別の断面図である。
【図９】図６の端末ディスプレイアセンブリのＣ−Ｃ方向における別の断面図である。
【図１０】図６の端末ディスプレイアセンブリのＣ−Ｃ方向における別の断面図である。
【図１１】図６の端末ディスプレイアセンブリのＣ−Ｃ方向における別の断面図である。
【図１２】図４の携帯端末のＢ−Ｂ方向における別の断面図である。
【図１３】本開示の一実施形態に係る携帯端末の別の構造図であり、携帯端末の正面図および背面図を示す。
【図１４】本開示の一実施形態に係る携帯端末の別の構造図であり、携帯端末の正面図および背面図を示す。
【図１５】本開示の一実施形態に係る携帯端末の別の構造図である。
【図１６】本開示の一実施形態に係る携帯端末の別の構造図である。
【発明を実施するための形態】
【０００９】
次に、添付の図面および実施例を参照して、本開示を詳細に説明する。明らかに、説明される実施形態は、本開示の実施形態の一部に過ぎず、実施形態のすべてではない。創造的な努力なしに本開示の実施形態に基づいて当業者によって得られる他のすべての実施形態は、本開示の保護範囲内に含まれるものとする。
【００１０】
本明細書では、「中央」、「縦」、「横」、「長さ」、「幅」、「厚さ」、「上」、「下」、「前」、「後」、「左」、「右」、「垂直」、「水平」、「頂部」、「底部」、「内側」、「外側」、「時計回り」、および「反時計回り」などの用語は、次に説明するように、または議論中の図面に示すように、方向を指すと解釈されるべきであることが理解されるべきである。これらの相対的な用語は、説明の便宜のためであり、本発明が特定の方向で構築または操作されることを必要としない。また、「第１」および「第２」などの用語は、説明のために本明細書で使用され、相対的な重要性または意義を示すまたは示唆すること、あるいは示された技術的構成の数を示唆することを意図しない。したがって、「第１」および「第２」で定義される構成は、そのような構成の１つ以上を含むことができる。本開示の説明において、「複数」は、特に断りのない限り、２つまたは３つ以上を意味する。
【００１１】
本開示では、別段の指定または限定がない限り、「取り付けられた」、「接続された」、「結合された」などの用語は、広い意味で使用され、特定の状況に応じて当業者が理解できるように、例えば固定接続、取り外し可能な接続、または一体型接続を含むことができ、また機械的または電気的接続とすることができ、また直接接続または介在する構造を介した間接接続とすることができ、２つの要素の内部連通とすることができる。
【００１２】
本開示では、別段の指定または限定がない限り、第１の構成が第２の構成の「上」または「下」にある構造は、第１の構成が第２の構成と直接接触している実施形態を含むことができ、第１の構成および第２の構成が互いに直接接触していないが、それらの間に形成される追加の構成を介して接触される実施形態も含むことができる。さらに、第２の構成の「上」、「上方」、または「頂部」にある第１の構成は、第１の構成が第２の構成のすぐまたは斜め「上」、「上方」、または「頂部」にある実施形態を含むことができるか、または単に第１の構成の高さが第２の構成の高さよりも高いことを意味し、一方、第２の構成の「下」、「下方」、または「底部」にある第１の構成は、第１の構成が第２の構成のすぐまたは斜め「下」、「下方」、または「底部」にある実施形態を含むことができるか、または単に第１の構成の高さが第２の構成の高さよりも低いことを示す。
【００１３】
以下の説明では、本開示の異なる構造を実装するために、様々な実施形態および例が提供される。本開示を簡略化するために、特定の要素および設定について説明する。しかしながら、これらの要素および設定は、例としてのみであり、本開示を限定することを意図しない。さらに、参照番号は、本開示の異なる例において繰り返される場合がある。この繰り返しは、簡略化および明確化の目的のためであり、異なる実施形態および／または設定の間の関係を指すものではない。さらに、異なるプロセスおよび材料の例は、本開示において提供される。しかしながら、他のプロセスおよび／または材料が適用されてもよいことが当業者によって理解されるであろう。
【００１４】
本明細書で使用される「通信端末」（「端末」とも呼ばれる）は、有線接続（例えば、公衆交換電話網（ＰＳＴＮ）、デジタル加入者線（ＤＳＬ）、デジタルケーブル、直接ケーブル接続、および／または別のデータ接続／ネットワーク）を介して、および／または、例えばセルラーネットワーク、ワイヤレスローカルエリアネットワーク（ＷＬＡＮ）、ＤＶＢ−Ｈネットワークなどのデジタルテレビネットワーク、衛星ネットワーク、ＡＭ−ＦＭブロードキャスト送信機、および／または別の通信端末との無線インターフェースを介して、通信信号を受信／送信するように構成された装置を含むが、それに限定されないことを理解すべきである。無線インターフェースを介して通信するように設定された通信端末は、「無線通信端末」、「無線端末」、および／または「携帯端末」と呼ばれることがある。携帯端末の例には、衛星またはセルラー無線電話、セルラー無線電話をデータ処理、ファクシミリ、およびデータ通信機能と組み合わせることができるパーソナルコミュニケーションシステム（ＰＣＳ）端末、無線電話、ポケットベル、インターネット／イントラネットアクセス、Ｗｅｂブラウザー、オーガナイザー、カレンダー、および／または全地球測位システム（ＧＰＳ）受信機を含むことができるＰＤＡ、従来のラップトップおよび／またはパームトップ受信機、または無線電話トランシーバを含む他の機器が含まれるが、これらに限定されない。
【００１５】
本開示の実施形態は、端末ディスプレイアセンブリおよび携帯端末を提供し、これらは、以下で詳細に別々に説明される。端末ディスプレイアセンブリは、携帯端末に提供されてもよい。携帯端末は、スマートフォン、タブレットＰＣなどとすることができる。
【００１６】
次に、本開示の一実施形態に係る携帯端末の構造図である図１を参照する。携帯端末１０は、カバープレート１１、ディスプレイ画面１２、回路基板１３、電池１４、ハウジング１５、フロントカメラ１６１、リアカメラ１６２、および指紋ロック解除モジュール１７を含むことができる。携帯端末１０は、上記の内容に限定されず、他の手段をさらに含んでいてもよいし、リアカメラ１６を含んでいなくてもよいし、指紋ロック解除モジュール１７を含んでいなくてもよいことに留意すべきである。
【００１７】
カバープレート１１は、ディスプレイ画面１２上に取り付けられ、ディスプレイ画面１２を覆う。カバープレート１１は透明なガラスカバープレートとすることができ、その結果、ディスプレイ画面１２は、透光性カバープレート１１を通して表示する。いくつかの実施形態では、カバープレート１１は、例えばサファイアなどの材料で作られたガラスカバープレートとすることができる。
【００１８】
ハウジング１５は、携帯端末１０の外形を形成することができる。いくつかの実施形態では、ハウジング１５は、中間フレーム１５１およびリアカバー１５２を含むことができる。中間フレーム１５１とリアカバー１５２とが互いに組み合わされて、ハウジング１５が形成される。中間フレーム１５１およびリアカバー１５２は、回路基板１３、ディスプレイ画面１２、電池１４等を収容するための収容空間を形成することができる。さらに、カバープレート１１をハウジング１５に固定することができる。カバープレート１１とハウジング１５は、回路基板１３、ディスプレイ画面１２、電池１４等を収容する密閉空間を形成する。いくつかの実施形態では、カバープレート１１は、中間フレーム１５１上に設けられ、中間フレーム１５１を覆い、リアカバー１５２は、中間フレーム１５１に設けられ、中間フレーム１５１を覆い、カバープレート１１とリアカバー１５２は、中間フレーム１５１の互いに対して反対側の面に配置され、カバープレート１１とリアカバー１５２は、対向するように配置される。
【００１９】
いくつかの実施形態では、ハウジング１５は、例えばマグネシウム合金、ステンレス鋼などの金属ハウジングとすることができる。本開示の実施形態に係るハウジング１５の材質は、これに限定されるものではなく、また他の方式を採用してもよい。例えば、ハウジング１５は、プラスチックハウジングとすることができる。別の一例では、ハウジング１５はセラミックスハウジングである。さらに別の一例では、ハウジング１５は、プラスチック部分および金属部分を含むことができ、ハウジング１５は、金属とプラスチックが互いに嵌合するハウジング構造を有することができる。具体的には、金属部分を先に形成してもよく、例えば、マグネシウム合金基板を射出成形によって形成した後、マグネシウム合金基板上にプラスチックを射出成形してプラスチック基板を形成する。このようにして、一体的なハウジング構造が形成される。
【００２０】
本開示の実施形態に係るハウジングの構造は、これに限定されないことに留意すべきである。例えば、リアカバーおよび中間フレームはまた、一体型のハウジング１５の構造を形成するように一体的に成形されてもよい。ハウジングは、回路基板１３、ディスプレイ画面１２、電池１４等を収容するための収容空間を直接有している。
【００２１】
回路基板１３は、ハウジング１５内に取り付けられている。回路基板１３は、携帯端末１０のメインボードとすることができる。回路基板１３は、モータ、マイクロフォン、スピーカ、イヤホンインターフェース、ユニバーサルシリアルバスインターフェース、フロントカメラ１６１、リアカメラ１６２、距離センサ、環境光センサ、レシーバ、およびプロセッサを含む１つ、２つ、またはそれ以上の機能コンポーネントと統合することができる。
【００２２】
いくつかの実施形態では、回路基板１３は、ハウジング１５内に固定することができる。具体的には、回路基板１３は、ねじによって中間フレーム１５１にねじ留めすることができるか、またはバックルによって中間フレーム１５１にクランプ留めすることができる。本開示の実施形態において中間フレーム１５１に回路基板１３を固定する具体的な方法は、これに限定されるものではなく、他の方法（例えば、バックルとネジの両方によって固定する方法）を採用してもよい。
【００２３】
電池１４は、ハウジング１５内に取り付けられ、回路基板１３に電気的に接続されて、携帯端末１０に電力を供給する。ハウジング１５は、電池１４の電池カバーとして機能することができる。ハウジング１５は、電池１４を覆って電池１４を保護する。特に、リアカバー１５２は、電池１４を覆って電池１４を保護し、これによって携帯端末１０の衝突や落下による電池１４の損傷を低減する。
【００２４】
ディスプレイ画面１２は、ハウジング１５内に取り付けられている。一方、ディスプレイ画面１２は、回路基板１３と電気的に接続され、携帯端末１０のディスプレイ表面を形成する。ディスプレイ画面１２は、ディスプレイ領域と非ディスプレイ領域とを含むことができる。ディスプレイ領域は、携帯端末１０の写真を表示するために使用することができるか、またはユーザがタッチ操作等を行うために提供することができる。非ディスプレイ領域の頂部には、音と光を透過させるための開口部が設けられており、非ディスプレイ領域の底部には、指紋モジュールやタッチプレスキーなどの機能部品を設けることができる。カバープレート１１は、ディスプレイ画面１２上に取り付けられ、ディスプレイ画面１２を覆う。ディスプレイ画面１２と同じディスプレイ領域と非ディスプレイ領域を形成してもよいし、異なるディスプレイ領域と非ディスプレイ領域を形成してもよい。
【００２５】
いくつかの実施形態では、ディスプレイ画面１２は、液晶ディスプレイ（ＬＣＤ）または有機発光ダイオードディスプレイ（ＯＬＥＤ）とすることができる。いくつかの実施形態では、ディスプレイ画面１２がＬＣＤである場合、ディスプレイ画面１２は、順次積層されるバックライトモジュール、下部偏光板、アレイ基板、液晶層、カラーフィルム基板、および上部偏光板を含むことができる。ディスプレイ画面１２がＯＬＥＤである場合、ディスプレイ画面１２は、順次積層されたベース層、アノード層、有機層、導電層、発光層、およびカソード層を含むことができる。いくつかの実施形態では、ディスプレイ画面１２は、透明なディスプレイ画面とすることができ、非透明なディスプレイ画面とすることもできる。
【００２６】
ディスプレイ画面１２の構造はこれに限定されないことを留意すべきである。例えば、ディスプレイ画面１２は、特殊な形状の画面とすることができる。
【００２７】
次に、本開示の一実施形態に係る携帯端末の別の構造図である図２を参照する。携帯端末２０は、カバープレート２１と、ディスプレイ画面２２と、回路基板２３と、電池２４と、ハウジング２５とを含む。携帯端末２０が携帯端末１０と異なる点は、ディスプレイ画面２２に直接光透過領域が形成されていることである。例えば、ディスプレイ画面２２には、ディスプレイ画面２２を厚さ方向に貫通する貫通孔２２１が設けられている。貫通孔２２１の位置にフロントカメラ、ヘッドホン、センサなどの光学装置を設けて、信号伝送を容易にすることができる。カバープレート２１は、貫通孔２２１の位置を覆うことができ、対応する貫通孔を設けることもできる。
【００２８】
以下、説明のため、貫通孔２２１としての光透過領域を例示する。
【００２９】
次に、図２の携帯端末のＡ−Ａ方向の断面図である図３を参照する。携帯端末２０は、貫通孔２２１の一箇所に搭載される光学装置を含むことができる。光学装置は、カメラモジュール２６によって例示される。光学装置は、センサなどの手段と統合することもできる。いくつかの実施形態では、カメラモジュール２６は、カメラによって例示される。カメラモジュール２６はまた、他の光学装置と統合することもできる。カメラモジュール２６のレンズは、貫通孔２２１内に少なくとも部分的に収容されることができる。カメラモジュール２６は、回路基板２３上に直接統合することができ、信号線によってそれに結合することもできる。回路基板２３は、ハウジング２５内に取り付けられる。カバープレート２１は、ディスプレイ画面２２上に設けられており、カバープレート２１は、貫通孔２２１を覆っている。ハウジング２５は、上記のハウジング１５を参照することができ、回路基板２３は、上記の回路基板１３を参照することができ、電池２４は、上記の電池１４を参照することができる。詳細は、本明細書では説明しない。
【００３０】
いくつかの実施形態では、貫通孔２２１はまた、１つ、２つ、またはそれ以上であってもよい。貫通孔２２１は、ディスプレイ画面２２の縁部に隣接することができ、例えば、貫通孔２２１は、ディスプレイ画面２２の端部に隣接する。貫通孔２２１はまた、ディスプレイ画面２２の側面に隣接する、ディスプレイ画面２２の角位置に隣接するなど、ディスプレイ画面２２の他の場所に隣接するか、またはディスプレイ画面２２の中央位置に配置されることができる。貫通孔２２１は、円形の孔であってもよいし、長方形の孔であってもよい。貫通孔２２１は、他の形状、例えば不規則な孔を有してもよい。
【００３１】
以上から分かるように、本開示の実施形態に係るカメラモジュール２６は、携帯端末に別途カメラを設ける必要性を含むことなく、貫通孔２２１を通した写真撮影および録画を実現することができる。本開示のディスプレイ画面は、ハウジング２５の周辺位置を覆い、ディスプレイ画面の縁部位置の非ディスプレイ領域にカメラを設ける場合と比較して、携帯端末のサイズを不変のままで、ディスプレイ画面のディスプレイ領域が増加する。
【００３２】
しかしながら、ディスプレイ画面２２が点灯すると、ディスプレイ画面２２の光線が反射または屈折して貫通孔２２１に入る。カメラモジュール２６は、写真撮影または録画プロセス中に干渉をもたらし、カメラモジュール２６の画像化効果に影響を及ぼし、それにより、カメラモジュール２６の画像化品質を低下させる可能性がある。
【００３３】
したがって、本開示の出願人は、照明時にディスプレイ画面２２からの光線によって引き起こされるカメラモジュール２６との干渉を低減または回避するために別の携帯端末を考案した。
【００３４】
次に、本開示の一実施形態に係る携帯端末の別の構造図である図４、および図４の携帯端末のＢ−Ｂ方向の断面図である図５を参照する。携帯端末２０は、第１の透光性カバープレート２１と、第２の透光性カバープレート２７と、ディスプレイ画面２２と、回路基板２３と、電池２４と、ハウジング２５と、遮光部材２８と、光学装置とを含むことができる。ディスプレイ画面２２、回路基板２３、電池２４、およびハウジング２５は、上記の内容を参照することができ、本明細書では詳細を省略する。
【００３５】
光学装置は、カメラモジュール２６（図５を参照）によって例示される。カメラモジュール２６は、ベース２６２と、ベース２６２上に取り付けられたレンズ２６１とを含むことができる。
【００３６】
第１の透光性カバープレート２１、第２の透光性カバープレート２７、ディスプレイ画面２２、および遮光部材２８は、アセンブリ構造（例えば、端末ディスプレイアセンブリ）を形成することができる。実際の生産・製造手順では、まずディスプレイ画面２２を形成し、その後、第１の透光性カバープレート２１、第２の透光性カバープレート２７、および遮光部材２８がそれぞれディスプレイ画面２２のディスプレイ表面上に取り付けられ、端末ディスプレイアセンブリを形成するように組み立てられる。端末ディスプレイアセンブリは、詳細な説明のために以下に例示される。
【００３７】
次に、本開示の一実施形態に係る端末ディスプレイアセンブリの構造図である図６、および図６の端末ディスプレイアセンブリのＣ−Ｃ方向の断面図である図７を参照する。端末ディスプレイアセンブリ２００は、第１の透光性カバープレート２１と、第２の透光性カバープレート２７と、ディスプレイ画面２２と、遮光部材２８とを含むことができる。
【００３８】
ディスプレイ画面２２は、ディスプレイ画面２２をその厚み方向に貫通する第１の貫通孔２２１を画定する。第１の貫通孔２２１は、円形、長方形、または他の形状であってもよい。本明細書では、説明のために円形を例示する。第１の貫通孔２２１は、ディスプレイ画面２２の縁部に隣接していてもよいし、ディスプレイ画面２２の他の位置に配置されていてもよい。第１の貫通孔２２１はまた、１つ、２つ、またはそれ以上でもよいが、本明細書では、説明のために１つの貫通孔を例示する。図５に示すように、第１の貫通孔２２１のサイズは、カメラモジュール２６のレンズ２６１のサイズよりも大きくてもよい。例えば、第１の貫通孔２２１の直径は、レンズ２６１の直径よりも大きい。レンズ２６１は、第１の貫通孔２２１内に少なくとも部分的に収容される。
【００３９】
第１の透光性カバープレート２１は、ディスプレイ画面２２上に設けられ、ディスプレイ画面２２を覆う。第１の透光性カバープレート２１は、透明なカバープレートであり、例えば、透光性ガラス材料から作られた透光性ガラスカバープレート、または透光性サファイア材料から作られた透光性サファイアカバープレートである。第１の透光性カバープレート２１は、第１の透光性カバープレート２１をその厚さ方向に貫通する第２の貫通孔２１１を画定する。第２の貫通孔２１１は、円形、長方形、その他の構造であってもよいが、本明細書では説明のために円形を例示している。第２の貫通孔２１１の数および位置は、第１の貫通孔２２１の数および位置に対応するように構成される。第２の貫通孔２１１は、第１の貫通孔２２１と連通しており、ディスプレイ画面２２に垂直な方向において第１の貫通孔２２１と重なっている。第２の貫通孔２１１の直径は、第１の貫通孔２２１の直径よりも大きく、ディスプレイ画面２２に段差面２２２を形成している。
【００４０】
段差面２２２が、ディスプレイ画面２２に形成されており、ディスプレイ画面２２のディスプレイ表面と平行であることに留意すべきである。したがって、段差面２２２は、実際には、第２の貫通孔２１１を通して露出したディスプレイ画面２２の一部である支持面である。
【００４１】
いくつかの実施形態では、第１の透光性カバープレート２１は、光学接着剤によってディスプレイ画面２２のディスプレイ表面に結合することができる。光学接着剤は、透明に構成される光透過性接着剤層２９を形成するように成形される。つまり、第１の透光性カバープレート２１は、光透過性接着剤層２９を介してディスプレイ画面２２に接着される。光透過性接着剤層２９は、第１の貫通孔２２１の位置に形成され、第１の貫通孔２２１と連通する第４の貫通孔２９１を画定する。第４の貫通孔２９１は、ディスプレイ画面２２に垂直な方向において第１の貫通孔２２１と重なる。第４の貫通孔２９１は、円形、長方形、または他の形状とすることができ、本明細書では、円形が説明のために例示されている。第４の貫通孔２９１の直径は、第１の貫通孔２２１の直径以上である。光透過性接着剤層２９は、段差面２２２の少なくとも一部まで延在してもよい。光透過性接着剤層２９は、段差面２２２まで延在していなくてもよいことに留意すべきである。
【００４２】
遮光部材２８は、ディスプレイ画面２２上に設けられている。具体的には、遮光部材２８は、段差面２２２上に設けられている。段差面２２２上に光透過性接着剤層２９が設けられている場合、光透過性接着剤層２９上に遮光部材２８が設けられる。遮光部材２８は、遮光性材料から作られ、遮光効果を有する。例えば、遮光部材２８は、ステンレス鋼、アルミニウム合金、マグネシウム合金等の金属材料から作られる。遮光部材２８はまた、遮光インクまたは他の遮光性材料で作ることもできる。遮光インクは、可視光および紫外光を遮断して遮光インク層を形成することができる。遮光インク層は、黒色または銀白色にすることができる。遮光インク層は、第２の透光性カバープレート２７上に印刷によって形成することができる。さらに、遮光インク層は、厚みが薄く、遮光効果に優れている。
【００４３】
いくつかの実施形態では、遮光部材２８は、底壁２８１と、底壁２８１の周りに収容空間２８４を形成する側壁２８２とを有する。底壁２８１は、段差面２２２の上部の光透過性接着剤層２９上に設けられ、底壁２８１をその厚み方向に貫通する第３の貫通孔２８３を画定することができる。第３の貫通孔２８３は、第１の貫通孔２２１と連通しており、ディスプレイ画面２２に垂直な方向において第１の貫通孔２２１と重なっている。第３の貫通孔２８３の直径は、第１の貫通孔２２１の直径より大きくても、小さくても、等しくてもよい。本明細書では、第３の貫通孔２８３の直径が第１の貫通孔２２１の直径よりも小さいことを例に挙げて説明することにより、底壁２８１のディスプレイ画面２２と平行な方向の幅が大きくなり、第１の貫通孔２２１の上方にまで延在し、これによってディスプレイ画面２２から屈折または反射された光線をより良好に遮断する効果を達成することができる。
【００４４】
側壁２８２は、第１の透光性カバープレート２１に隣接しており、側壁２８２の自由端は、第１の透光性カバープレート２１の外面と面一とすることができる。第１の透光性カバープレート２１の外面は、ディスプレイ画面２２から離れた面であることに留意すべきである。さらに、側壁２８２の自由端は、第１の透光性カバープレート２１の外面よりも低くてもよい、すなわち、側壁２８２の高さと底壁２８１の厚さの合計は、第１の透光性カバープレート２１の厚みよりも小さいことに留意すべきである。第１の透光性カバープレート２１の外面は延在して、側壁２８２を覆うための延長部を形成することができる。
【００４５】
第２の透光性カバープレート２７は、収容空間２８４内に設けられ、底壁２８１に重ねられ、第１の貫通孔２２１および第３の貫通孔２８３を覆う。第２の透光性カバープレート２７はまた、第４の貫通孔２９１を覆うことができる。第２の透光性カバープレート２７は、透光性を有するように構成されており、例えば、透光性ガラス材料から作られた透光性ガラスカバープレート、または透光性サファイア材料から作られた透光性サファイアカバープレートとして構成される。いくつかの実施形態では、第２の透光性カバープレート２７の外面は、側壁２８２の自由端と面一とすることができ、すなわち、第２の透光性カバープレート２７の厚さは、側壁２８２の高さに等しい。第２の透光性カバープレート２７の外面は、ディスプレイ画面２２から離れた面であることに留意すべきである。第２の透光性カバープレート２７の厚さはまた、側壁２８２の高さよりも大きくてもよい。例えば、第２の透光性カバープレート２７は、その外面の周囲から、側壁２８２を覆う延長部を越えて延在する。第２の透光性カバープレート２８の外面は、第１の透光性カバープレート２１の外面と面一である。
【００４６】
いくつかの実施形態では、底壁２８１の一部は、第１の貫通孔２２１の上方まで延在し、これは、遮光効果を高めることができるだけでなく、第２の透光性カバープレート２７への接続領域を増やすこともでき、これによって第２の透光性カバープレート２７を保護する効果を達成する。
【００４７】
以上から分かるように、本開示の実施形態に係る第１の貫通孔２２１、第４の貫通孔２９１、第３の貫通孔２８３、および第２の貫通孔２１１は、互いに連通しており、ディスプレイ画面２２に垂直な方向に互いにやや重なっていて、信号が通過するのに利用可能な相互に連通されるチャネルを形成する。したがって、本開示の実施形態では、ディスプレイ画面２２が照明されたときに、ディスプレイ画面２２によって第１の貫通孔２２１および第２の貫通孔２１１の位置に屈折または反射される光線を、底壁２８１および側壁２８２によってそれぞれ遮断することができ、したがって、第１の貫通孔２２１および第２の貫通孔２１１の位置には入り込まない。これにより、例えば、カメラ、環境光センサ、近接センサなどの最適な手段が、第１の貫通孔２２１および第２の貫通孔２１１を介して信号を送信することを保証でき、それによりディスプレイ画面２２の光線が干渉することを回避できる。
【００４８】
本開示の実施形態によれば、端末ディスプレイアセンブリ２００のディスプレイ画面２２が照明されたとき、光線の屈折および反射手順において第２の透光性カバープレート２７の方向に向けられた光線は、遮光部材によって遮断される。すると、ディスプレイ画面２２の光線は、第２の透光性カバープレート２７に入射せず、光学装置による第１の貫通孔２２１を介した信号の外部への伝送効果に影響を与えない。端末ディスプレイアセンブリ２００の構造はこれに限定されないことに留意すべきである。
【００４９】
次に、図６の端末ディスプレイアセンブリのＣ−Ｃ方向における別の断面図である図８を参照する。図８に示す端末ディスプレイアセンブリ２００が図７のものと異なる点は、第２の透光性カバープレート２７が、その内面方向に延在する突起２７１を有し、突起２７１は、ディスプレイ画面２２に向かって延在するように形成されていることである。突起２７１の表面は、底壁２８１の表面と面一とすることができる。突起２７１の周囲は、底壁２８１に接続することができる。これにより、第２の透光性カバープレート２７の強度および第２の透光性カバープレート２７と遮光部材２８との間の接続強度を向上させることができる。
【００５０】
したがって、本開示の上記実施形態は、遮光部材２８の底壁２８１および側壁２８２を介して、２つの異なる方向での遮光効果を達成する。遮光部材２８の構造はこれに限定されないことに留意すべきである。
【００５１】
次に、図６の端末ディスプレイアセンブリのＣ−Ｃ方向における別の断面図である図９を参照する。図９に示す端末ディスプレイアセンブリ２００が図７のものと異なる点は、段差面２２２に設けられた光透過性接着剤層２９上に第２の透光性カバープレート２７が直接設けられ、第１の貫通孔２２１を覆っており、遮光部材２８は、段差面２２２に設けられた光透過性接着剤層２９上に直接設けられていることである。遮光部材２８と第２の透光性カバープレート２７とは並べて配置されている。遮光部材２８は、第２の透光性カバープレート２７の周囲に設けられており、第１の透光性カバープレート２１と第２の透光性カバープレート２７との間に位置している。遮光部材２８はまた、ディスプレイ画面２２の光線を遮断して、照明されたディスプレイ２２の光線の光学装置への影響を低減することができる。
【００５２】
次に、図６の端末ディスプレイアセンブリのＣ−Ｃ方向における別の断面図である図１０を参照する。図１０に示す端末ディスプレイアセンブリ２００が図７のものと異なる点は、第２の透光性カバープレート２７の周囲ではなく、段差面２２２に遮光部材２８が直接設けられており、第２の透光性カバープレート２７が遮光部材２８上に直接設けられており、第２の透光性カバープレート２７と遮光部材２８とが積層されて構成されていることである。遮光部材２８はまた、ディスプレイ画面２２の光線を遮断して、照明されたディスプレイ画面２２の光線が光学装置に与える影響を低減することができる。
【００５３】
次に、図６の端末ディスプレイアセンブリのＣ−Ｃ方向における別の断面図である図１１を参照する。図１１に示す端末ディスプレイアセンブリ２００が図１０のものと異なる点は、第２の透光性カバープレート２７は、その内面から延在する突起２７１を有することであり、突起２７１は、図８に示す突起を参照することができ、本明細書では詳細を説明しない。
【００５４】
上記から分かるように、本開示の実施形態では、端末ディスプレイアセンブリ２００が携帯端末２０のハウジング２５に取り付けられると、カメラモジュール２６または他の光学装置をディスプレイ画面２２の第１の貫通孔２２１の位置に取り付けることができるか、またはカメラモジュール２６のレンズ２６１は、第１の貫通孔２２１内に直接取り付けられる。カメラモジュール２６などの光学装置によって占められる空間を減らすだけでなく、遮光部材２８を介してディスプレイ画面２２によって屈折または反射される光線を遮断して、ディスプレイ画面２２によって生成される光線によって引き起こされるカメラモジュール２６などの光学装置との干渉を減らすまたは避けることが可能である。
【００５５】
光学装置（例えば、カメラモジュール２６のレンズ２６１）は、第１の貫通孔２２１内だけでなく、第３の貫通孔２８３内にも収容されることができる。次に、図４の携帯端末のＢ−Ｂ方向における別の断面図である図１２を参照する。カメラモジュール２６のレンズ２６１は、第１の貫通孔２２１および第３の貫通孔２８３内に収容される。
【００５６】
ディスプレイ画面の構造はこれに限定されないことに留意すべきである。例えば、ディスプレイ画面２２に非ディスプレイ領域を設け、光透過領域に非ディスプレイ領域を含めてもよい。
【００５７】
次に、本開示の一実施形態に係る携帯端末の別の構造図である図１３を参照する。図１３の携帯端末２０が上述の携帯端末と異なる点は、携帯端末２０は、一次端末ディスプレイアセンブリ２００および二次端末ディスプレイアセンブリ２を含み、一次端末ディスプレイアセンブリ２００は、ハウジング２５の１つの面上に取り付けられ、二次端末ディスプレイアセンブリ２は、ハウジング２５の他の面上に取り付けら、すなわち、一次端末ディスプレイアセンブリ２００および二次端末ディスプレイアセンブリ２は、それぞれ、ハウジング２５の互いに対して反対側の面に設けられることである。いくつかの実施形態では、一次端末ディスプレイアセンブリ２００のディスプレイ領域は、二次端末ディスプレイアセンブリ２のディスプレイ領域よりも大きい。いくつかの実施形態では、一次端末ディスプレイアセンブリ２００は、上記の端末ディスプレイアセンブリ２００を参照することができ、詳細は本明細書では説明されない。二次端末ディスプレイアセンブリ２は、ディスプレイ画面およびカバープレートを含むことができ、ディスプレイ画面およびカバープレートは、上記の内容を参照することができる。
【００５８】
二次端末ディスプレイアセンブリ２はまた、２枚のカバープレートと遮光部材とを含んでもよい。具体的には、本開示の一実施形態に係る携帯端末の別の構造図である図１４を参照する。図１４に示される携帯端末２００が図１３の携帯端末と異なる点は、一次端末ディスプレイアセンブリ２００は、ディスプレイ画面およびカバープレートを含むが、遮光部材を含まず、二次端末ディスプレイアセンブリ２は、２枚のカバープレートと、ディスプレイ画面と、遮光部材とを含むことができることである。二次端末ディスプレイアセンブリ２の構造は、上記の内容を参照することができ、本明細書では詳細は説明されない。
【００５９】
次に、本開示の一実施形態に係る携帯端末の別の構造図である図１５を参照する。図１５の携帯端末が図１の携帯端末と異なる点は、図１５の携帯端末３０は、ディスプレイ画面３２と、カバープレート３１と、回路基板３３と、電池３４と、ハウジング３５とを含むことである。ディスプレイ画面３２は、その周囲に、フロントカメラ、ヘッドホン、センサ等の光学装置を配置可能な切り欠き３２１が設けられている。カバープレート３１は、ディスプレイ画面３２の構造に適合するように構成される。カバープレート３１は、切り欠き３２１に等しいサイズの切り欠きを備えることができる。カバープレート３１はまた、切り欠き３２１の位置を覆うこともできる。ハウジング３５は、上記のハウジング１５を参照することができ、回路基板３３は、上記の回路基板１３を参照することができ、電池３４は、上記の電池１４を参照することができ、これらは本明細書では説明されないことに留意すべきである。
【００６０】
さらに、いくつかの実施形態では、ディスプレイ画面１２は非ディスプレイ領域を含まなくてもよいが、全画面構造を有するように構成されてもよく、距離センサや環境光センサなどの光学装置をディスプレイ画面の下または他の位置に配置してもよいことに留意すべきである。具体的には、本開示の一実施形態に係る携帯端末の別の構造図である図１６を参照する。携帯端末４０は、ディスプレイ画面４２と、カバー４１と、回路基板４３と、電池４４と、ハウジング４５とを含む。ディスプレイ画面４２は、ハウジング４５を覆い、非ディスプレイ領域はない。カバープレート４１は、ディスプレイ画面４２のサイズに適合するように構成されている。ハウジング４５は、上記のハウジング１５を参照することができ、回路基板４３は、上記の回路基板１３を参照することができ、電池４４は、上記の電池１４を参照することができ、これらは本明細書では説明されないことに留意すべきである。
【００６１】
本開示の実施形態に係る端末ディスプレイアセンブリおよび携帯端末が、上記に詳細に説明される。本開示では、本開示の原理および実施形態を例示するために特定の例が採用されている。実施形態の上記の説明は、本開示の理解を容易にするために行われたに過ぎない。一方、当業者は、本開示のアイデアに基づいて、特定の実施形態および適用範囲に任意の修正を行うことができる。要するに、本説明に記載されている内容は、本開示を限定するものとして解釈されるべきではない。
【図１】
2021503211.tif 000003
【図２】
2021503211.tif 000004
【図３】
2021503211.tif 000005
【図４】
2021503211.tif 000006
【図５】
2021503211.tif 000007
【図６】
2021503211.tif 000008
【図７】
2021503211.tif 000009
【図８】
2021503211.tif 000010
【図９】
2021503211.tif 000011
【図１０】
2021503211.tif 000012
【図１１】
2021503211.tif 000013
【図１２】
2021503211.tif 000014
【図１３】
2021503211.tif 000015
【図１４】
2021503211.tif 000016
【図１５】
2021503211.tif 000017
【図１６】
2021503211.tif 000018
【国際調査報告】
2021503211.tif 000019
2021503211.tif 000020
2021503211.tif 000021